(57)【要約】【課題】広告の放送による商品の宣伝効果を表す情報をより容易に取得することができる仲介システム、仲介装置、仲介方法及びコンピュータプログラムを提供することである。【解決手段】実施形態の仲介システムは、放送装置と、放送受信装置と、仲介装置とを持つ。放送装置は、商品又は役務に関する情報を含む放送データを送信する。放送受信装置は、放送データを受信する。仲介装置は、放送受信装置と通信する。放送受信装置は、表示部と、入力部と、通信部とを持つ。表示部は、受信された放送データに含まれる商品又は役務に関する情報を表示する。入力部は、表示部の表示に応じて商品又は役務を選択する利用者の操作の入力を受け付ける。通信部は、利用者の選択を示す選択情報を仲介装置に送信する。仲介装置は、仲介部を持つ。仲介部は、視聴者に関する情報を取得するとともに、選択情報が示す商品又は役務に関する情報を放送受信装置に送信する。【選択図】図２
2016051348.tif 000002
【特許請求の範囲】
【請求項１】
商品又は役務に関する情報を含む放送データを送信する放送装置と、前記放送データを受信する放送受信装置と、前記放送受信装置と通信する仲介装置とを備える仲介システムであって、
前記放送受信装置は、
受信された放送データに含まれる前記商品又は前記役務に関する情報を表示する表示部と、
前記表示部の表示に応じて前記商品又は前記役務を選択する利用者の操作の入力を受け付ける入力部と、
利用者の選択を示す選択情報を前記仲介装置に送信する通信部と、
を備え、
前記仲介装置は、
前記視聴者に関する情報を取得するとともに、前記選択情報が示す商品又は役務に関する情報を前記放送受信装置に送信する仲介部を備える、
仲介システム。
【請求項２】
商品又は役務に関する情報を含む放送データを受信し、受信された放送データに含まれる前記商品又は前記役務に関する情報を表示し、前記商品又は前記役務に関する情報の表示に応じて前記商品又は前記役務を選択する利用者の操作の入力を受け付け、利用者の選択を示す選択情報を送信する放送受信装置と通信する通信部と、
前記視聴者に関する情報を取得するとともに、前記選択情報が示す商品又は役務に関する情報を前記放送受信装置に送信する仲介部と、
を備える仲介装置。
【請求項３】
前記仲介部は、前記視聴者に関する情報を前記商品又は前記役務ごとに取得する、
請求項２に記載の仲介装置。
【請求項４】
前記仲介部は、前記選択情報が示す商品又は役務に関する情報として、前記商品の販売者又は前記役務の提供者に関する情報を送信する、請求項２又は３に記載の仲介装置。
【請求項５】
前記仲介部は、前記視聴者に関する情報として、視聴者の自装置へのアクセスに関する情報を取得する、
請求項２から４のいずれか一項に記載の仲介装置。
【請求項６】
前記放送データは、放送局の識別情報をさらに含み、
前記仲介部は、前記視聴者に関する情報を前記放送局の識別情報ごとに取得する、
請求項２から５のいずれか一項に記載の仲介装置。
【請求項７】
商品又は役務に関する情報を含む放送データを受信し、受信された放送データに含まれる前記商品又は前記役務に関する情報を表示し、前記商品又は前記役務に関する情報の表示に応じて前記商品又は前記役務を選択する利用者の操作の入力を受け付け、利用者の選択を示す選択情報を送信する放送受信装置と通信する通信ステップと、
前記視聴者に関する情報を取得するとともに、前記選択情報が示す商品又は役務に関する情報を前記放送受信装置に送信する仲介ステップを有する、
仲介方法。
【請求項８】
商品又は役務に関する情報を含む放送データを受信し、受信された放送データに含まれる前記商品又は前記役務に関する情報を表示し、前記商品又は前記役務に関する情報の表示に応じて前記商品又は前記役務を選択する利用者の操作の入力を受け付け、利用者の選択を示す選択情報を送信する放送受信装置と通信する通信ステップと、
前記視聴者に関する情報を取得するとともに、前記選択情報が示す商品又は役務に関する情報を前記放送受信装置に送信する仲介ステップを、
コンピュータに実行させるためのコンピュータプログラム。
【発明の詳細な説明】
【技術分野】
【０００１】
本発明の実施形態は、仲介システム、仲介装置、仲介方法及びコンピュータプログラムに関する。
【背景技術】
【０００２】
従来、商品の広告をテレビ放送によって配信することが行われている。一方で、インターネットの普及に伴ってＥＣ（Electronic Commerce）サイトから商品を購入する消費者が増えている。例えば、テレビ放送によって商品の購入を決めた消費者は、まずインターネット上の検索サイトで当該商品の販売サイトを検索する。消費者は、ヒットした販売サイトにアクセスし購入手続きを行う。このように商品が購入される場合、商品の販売事業者はその消費者の購入の動機がテレビ放送によるものであるか否かを知ることが出来ない。そのため、販売事業者は広告の放送による商品の宣伝効果を表す情報を取得することが困難な場合があった。
【先行技術文献】
【特許文献】
【０００３】
【特許文献１】特開平９−１６３３５１号公報
【特許文献２】特開２００５−２６７０６２号公報
【特許文献３】特開２００６−３４００２０号公報
【特許文献４】特開２０１０−３４８９３号公報
【発明の概要】
【発明が解決しようとする課題】
【０００４】
本発明が解決しようとする課題は、広告の放送による商品の宣伝効果を表す情報をより容易に取得することができる仲介システム、仲介装置、仲介方法及びコンピュータプログラムを提供することである。
【課題を解決するための手段】
【０００５】
実施形態の仲介システムは、放送装置と、放送受信装置と、仲介装置とを持つ。放送装置は、商品又は役務に関する情報を含む放送データを送信する。放送受信装置は、前記放送データを受信する。仲介装置は、前記放送受信装置と通信する。放送受信装置は、表示部と、入力部と、通信部とを持つ。表示部は、受信された放送データに含まれる前記商品又は前記役務に関する情報を表示する。入力部は、前記表示部の表示に応じて前記商品又は前記役務を選択する利用者の操作の入力を受け付ける。通信部は、利用者の選択を示す選択情報を前記仲介装置に送信する。仲介装置は、仲介部を持つ。仲介部は、前記視聴者に関する情報を取得するとともに、前記選択情報が示す商品又は役務に関する情報を前記放送受信装置に送信する。
【図面の簡単な説明】
【０００６】
【図１】第１の実施形態の放送販売システムのシステム構成を示すシステム構成図。
【図２】仲介装置４の機能構成を示す機能ブロック図。
【図３】販売情報テーブル４２１の具体例を示す図。
【図４】視聴者情報テーブル４３１の具体例を示す図。
【図５】仲介情報テーブル４４１の具体例を示す図。
【図６】放送システム１の機能構成を示す機能ブロック図。
【図７】第１の実施形態の放送販売システムにおける仲介処理の流れを示すシーケンス図。
【図８】第１の実施形態の放送販売システムにおける仲介処理の流れを示すシーケンス図。
【図９】第２の実施形態の放送販売システムのシステム構成を示すシステム構成図。
【図１０】仲介装置４ａの機能構成を示す機能ブロック図。
【図１１】販売事業者情報テーブル４８１の具体例を示す図。
【図１２】第２の実施形態の放送販売システムにおける仲介処理の流れを示すシーケンス図。
【図１３】第２の実施形態の放送販売システムにおける仲介処理の流れを示すシーケンス図。
【発明を実施するための形態】
【０００７】
以下、実施形態の仲介システム、仲介装置、仲介方法及びコンピュータプログラムを、図面を参照して説明する。
【０００８】
（第１の実施形態）
図１は、第１の実施形態の放送販売システムのシステム構成を示すシステム構成図である。
放送システム１（放送装置）は、テレビ番組を放送するシステムである。一般に、放送システム１は、放送事業者によって運営される。放送事業者は、広告主との間で広告放送の契約を交わし、契約内容に基づいて広告を放送する。例えば、広告主は製品メーカーやサービス（役務）事業者などの商品開発を行う事業者である。放送事業者は、広告の放送（以下、「広告放送」という。）に必要となる情報（以下、「広告情報」という。）を広告主から取得し、放送システム１に入力する。放送システム１は、広告情報に基づいて、広告放送を放送するスケジュールを作成し、スケジュールに基づいて広告放送を放送する。なお、放送システム１は、放送の映像データと放送に関連する情報（以下、「関連情報」という。）とを組み合わせた電波を送出する。関連情報は、広告情報に基づいて生成される。このように映像データと関連情報とを組み合わせて放送する手法には、データ放送やハイブリッドキャストなどの手法がある。実施形態の放送販売システム（仲介システム）では、関連情報には、広告商品の識別情報と視聴者が仲介装置４にアクセスするためのアクセス情報とが含まれる。
【０００９】
販売システム２−１〜２−ｎは、インターネット等の通信回線を介して商品を販売する販売事業者ごとのＥＣサイトを構成するシステムである。ｎは１以上の整数であり、販売システムの数を表す。以下の説明では、説明を簡単にするために、特に区別しない限り販売システム２−１〜２−ｎを販売システム２と記載する。また、１つの販売事業者が複数の販売システム２を運営する場合もあるが、本実施形態では説明を簡単にするために、１つの販売事業者が運営する販売システム２は１つであるものと仮定する。この場合、ｎはすなわち販売事業者の数となる。以下では、販売システム２−ｎを運営する販売事業者を販売事業者ｎと記載する。
【００１０】
販売システム２−１〜２−ｎは、通信回線を介して商品の注文を受け付け、注文された商品の販売処理を行う。販売システム２を運営する販売事業者は広告主自身であってもよいし、広告主以外の事業者であってもよい。本実施形態では販売事業者は、広告主以外の事業者であるものと仮定する。例えば、販売事業者は広告主から商品を購入し二次販売する卸売販売業者である。
【００１１】
放送受信装置３（端末）は、放送システム１から送出されたテレビ放送の電波を受信し、放送映像を表示する装置である。例えば、放送受信装置３は、テレビやスマートフォン、携帯電話などの装置である。また、放送受信装置３は、受信した電波に含まれる関連情報を取得し、視聴者の操作や設定に応じて関連情報の表示や、動作処理を行なう。
また、放送受信装置３は、ＬＡＮ（Local Area Network）等の通信インターフェースを備え、販売システム２及び仲介装置４との間で通信する。放送受信装置３は、関連情報に含まれるアクセス情報に基づいて仲介装置４にアクセスする。放送受信装置３は、関連情報に含まれる広告商品の識別情報と、認証情報とを仲介装置４に送信する。認証情報には視聴者の識別情報及び仲介装置４を利用するための資格情報が含まれる。放送受信装置３は、磁気ハードディスク装置や半導体記憶装置などの記憶装置を用いて構成される記憶部を備え、記憶部には認証情報が予め記憶されている。認証情報は、視聴者の操作によって放送受信装置３に入力されてもよい。
【００１２】
仲介装置４は、放送受信装置３を用いた広告放送の視聴と、販売システム２による商品の販売とを仲介する装置である。仲介装置４は、放送事業者、広告主又は販売事業者によって運営されてもよいし、それ以外の事業者によって運営されてもよい。本実施形態では、仲介装置４は、広告主によって運営されるものと仮定する。仲介装置４には、広告主によって予め販売情報が登録される。販売情報とは、商品に関する情報（以下、「商品情報」という。）と、商品を販売する事業者のＥＣサイトのＵＲＬを示すＵＲＬ情報と、を含む情報である。例えば、商品情報は、商品価格や製品仕様、ユーザレビュー、満足度、口コミなどの情報である。販売情報は、販売事業者ごとに登録される。
【００１３】
仲介装置４は、放送受信装置３との間で通信し、放送受信装置３から広告商品の識別情報を取得する。仲介装置４は、取得した広告商品の識別情報に基づいて１つ以上の販売事業者の商品情報を取得する。仲介装置４は、取得した商品情報を放送受信装置３に送信する。仲介装置４は、送信した商品情報から選択された商品情報に対応する販売事業者のＵＲＬ情報を放送受信装置３に送信する。仲介装置4から放送受信装置３へ送信される販売情報は1つ以上であっても良い。複数の販売情報を送る際は、視聴者の操作によって選択できるようにしても良い。
【００１４】
図２は、仲介装置４の機能構成を示す機能ブロック図である。
仲介装置４は、バスで接続されたＣＰＵ（Central Processing Unit）やメモリや補助記憶装置などを備え、仲介装置プログラムを実行する。仲介装置４は、仲介装置プログラムの実行によって通信部４１、販売情報記憶部４２、視聴者情報記憶部４３、仲介情報記憶部４４、視聴者受付部４５、仲介処理部４６を備える装置として機能する。販売情報記憶部４２、視聴者情報記憶部４３及び仲介情報記憶部４４は、磁気ハードディスク装置や半導体記憶装置などの記憶装置を用いて構成される。なお、仲介装置４の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。仲介装置プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、フラッシュメモリ等の可搬媒体、コンピュータシステムに内蔵されるハードディスク等の記憶装置である。仲介装置プログラムは、電気通信回線を介して送信されてもよい。
【００１５】
通信部４１は、ＬＡＮ（Local Area Network）等の通信インターフェースを用いて構成される。通信部４１は、自装置と放送受信装置３との間の通信を制御する。
販売情報記憶部４２は、販売情報を保持する販売情報テーブル４２１を記憶する。
視聴者情報記憶部４３は、視聴者情報を保持する視聴者情報テーブル４３１を記憶する。視聴者情報は、仲介装置４を利用する視聴者の情報である。  仲介情報記憶部４４は、仲介情報を保持する仲介情報テーブル４４１を記憶する。仲介情報とは、視聴者に対して行った商品購入の仲介に関する情報である。
【００１６】
図３は、販売情報テーブル４２１の具体例を示す図である。
販売情報テーブル４２１は、商品ＩＤごとに販売情報レコードを有する。販売情報レコードは、商品ＩＤ、商品情報＿１〜ｎ及びＵＲＬ情報＿１〜ｎの各値を有する。商品ＩＤは、広告商品の識別情報である。図３では、“商品１”〜“商品ｍ”のｍ（ｍは１以上の整数）個の商品ＩＤが示されている。商品情報＿１〜ｎは、商品ＩＤが示す商品の各販売事業者における販売情報を表す。商品情報＿１は販売事業者１の販売情報である。商品情報＿２は販売事業者２の販売情報である。同様に商品情報＿ｎは販売事業者ｎの販売情報である。ＵＲＬ情報＿１〜ｎは、各販売事業者のＥＣサイトのＵＲＬ情報である。ＵＲＬ情報＿１は販売事業者１のＵＲＬ情報である。ＵＲＬ情報＿２は販売事業者２のＵＲＬ情報である。ＵＲＬ情報ｎは販売事業者ｎのＵＲＬ情報である。販売情報レコードは、広告主によって予め販売情報テーブル４２１に登録又は削除される。
【００１７】
図４は、視聴者情報テーブル４３１の具体例を示す図である。
視聴者情報テーブル４３１は、視聴者ＩＤごとに視聴者情報レコードを有する。視聴者情報レコードは、視聴者ＩＤ、視聴者資格情報及び視聴者属性情報を有する。視聴者ＩＤは、視聴者の識別情報である。図４では、“視聴者１”〜“視聴者ｎ”のｎ（ｎは１以上の整数）個の視聴者ＩＤが示されている。視聴者資格情報は、仲介装置４を利用する視聴者の認証に必要となる情報である。例えば、視聴者資格情報は、視聴者ごとに設定されたパスワードである。視聴者属性情報は、視聴者の属性を示す情報である。例えば、視聴者属性情報は、氏名や年齢、住所、電話番号、メールアドレスなどの情報である。視聴者情報レコードは、仲介装置４の管理者によって予め視聴者情報テーブル４３１に登録される。
【００１８】
図５は、仲介情報テーブル４４１の具体例を示す図である。
仲介情報テーブル４４１は、商品ＩＤごとに仲介情報レコードを有する。仲介情報レコードは、商品ＩＤ及び仲介数＿１〜ｎの各値を有する。商品ＩＤは、販売情報テーブル４２１に登録された商品ＩＤと同様である。仲介数＿１〜ｎは、商品ＩＤが示す商品について仲介装置４が仲介を行った回数を表す。仲介数＿１は販売事業者１に仲介した回数である。仲介数＿２は販売事業者２に仲介した回数である。同様に仲介数＿ｎは販売事業者ｎに仲介した回数である。仲介情報レコードは、仲介処理部４６によって仲介情報テーブル４４１に登録される。
【００１９】
図２の説明に戻る。
視聴者受付部４５は、広告放送の視聴者のアクセスを受け付ける。このとき、視聴者受付部４５は、広告商品の識別情報と認証情報とを放送受信装置３から取得する。視聴者受付部４５は、取得した認証情報と視聴者情報テーブル４３１に登録された視聴者情報とに基づいて、自装置にアクセスした視聴者を認証する。視聴者の認証後、視聴者受付部４５は、取得した広告商品の識別情報を仲介処理部４６に出力する。視聴者受付部４５は、視聴者の認証に失敗したり、登録されていない視聴者からのアクセスを受けた場合には、当該視聴者に登録を促したりするなど、予め設定された処理を行うように構成されても良い。
【００２０】
仲介処理部４６（仲介部）は、認証された視聴者の仲介処理を行う。具体的には、仲介処理部４６は、視聴者受付部４５から広告商品の識別情報を取得する。仲介処理部４６は、広告商品の識別情報が示す商品の販売情報を取得する。仲介処理部４６は、取得した販売情報を、認証された視聴者の放送受信装置３に送信する。また、仲介処理部４６は、視聴者によって選択された販売情報を示す選択情報を放送受信装置３から取得する。仲介処理部４６は、選択情報が示す販売情報に対応するＵＲＬ情報を放送受信装置３に送信する。そして、仲介処理部４６は、上記仲介処理の実行後、仲介情報を仲介情報テーブル４４１に登録する。
【００２１】
図６は、放送システム１の機能構成を示す機能ブロック図である。
放送システム１は、入力部１１、放送制御部１２、放送情報記憶部１３及び放送データ送出部１４を備える。
入力部１１は、広告情報を自装置に入力する。広告情報には、広告のカテゴリや放送希望日時、関連情報などの情報が含まれる。入力部１１は、広告情報を放送制御部１２に出力する。
放送制御部１２は、入力部１１から広告情報を取得する。放送制御部１２は、広告情報に基づいて広告放送を放送するスケジュールを作成する。放送制御部１２は、作成した放送スケジュールを放送情報記憶部１３に保存する。
なお、入力部１１、放送制御部１２、放送情報記憶部１３及び放送データ送出部１４は、従来の放送システムを流用して実現されてもよいし、新たに構築されても良い。
【００２２】
放送情報記憶部１３は、磁気ハードディスク装置や半導体記憶装置などの記憶装置を用いて構成される。放送情報記憶部１３は放送情報を記憶する。放送情報は、放送制御部１２によって作成された放送スケジュールや、放送の映像データ、関連情報等を含む情報である。
放送データ送出部１４は、放送情報記憶部１３から放送情報を取得する。放送データ送出部１４は、放送情報に含まれる映像データ及び関連情報から放送用のデータとなる放送データを生成する。放送データ送出部１４は、放送データを放送用の電波に変換し、放送情報に含まれる放送スケジュールに従って放送データを送出する。
【００２３】
図７及び図８は、第１の実施形態の放送販売システムにおける仲介処理の流れを示すシーケンス図である。
まず、放送システム１が放送データを送出して広告を放送する（ステップＳ１０１）。放送受信装置３は、送出された放送データを受信する（ステップＳ１０２）。放送受信装置３は、受信した放送データから映像データ及び関連情報を取得する。放送受信装置３は、取得した映像データを表示する。また、放送受信装置３は、取得した関連情報を記憶部に保存する。
【００２４】
ここで、広告放送の視聴者は、広告商品を購入するために、放送受信装置３に対して関連情報を表示させる操作を行う。放送受信装置３は、関連情報を表示する操作の入力を受け付ける（ステップＳ１０３）。放送受信装置３は、関連情報に含まれるアクセス情報を表示する（ステップＳ１０４）。広告放送の視聴者は、アクセス情報を選択して仲介装置４にアクセスする操作を行う。放送受信装置３は、仲介装置４にアクセスする操作の入力を受け付ける（ステップＳ１０５）。放送受信装置３は、関連情報から広告商品の識別情報を取得する。放送受信装置３は、記憶部から認証情報を取得する。放送受信装置３は、広告商品の識別情報と認証情報とを仲介装置４に送信する（ステップＳ１０６）。
【００２５】
仲介装置４の視聴者受付部４５は、視聴者情報テーブル４３１を参照し、視聴者ＩＤの値に認証情報が示す視聴者の識別情報を持つ視聴者レコードを選択する。視聴者受付部４５は、選択した視聴者レコードから視聴者資格情報の値を取得する。視聴者受付部４５は、認証情報が示す資格情報と、取得した視聴者資格情報とが同一である場合、当該視聴者を正当な視聴者として認証する（ステップＳ１０７）。視聴者を認証すると、視聴者受付部４５は、広告商品の識別情報を仲介処理部４６に出力する。
【００２６】
仲介処理部４６は、広告商品の識別情報を視聴者受付部４５から取得する。仲介処理部４６は、販売情報テーブル４２１を参照し、商品ＩＤの値に広告商品の識別情報を持つ販売情報レコードを選択する。仲介処理部４６は、選択した販売情報レコードから商品情報＿１〜ｎを取得する（ステップＳ１０８）。仲介処理部４６は、取得した商品情報＿１〜ｎを当該視聴者の放送受信装置３に送信する（ステップＳ１０９）。
【００２７】
放送受信装置３は、仲介処理部４６から商品情報＿１〜ｎを取得する。放送受信装置３は、取得した商品情報＿１〜ｎを表示する（ステップＳ１１０）。ここで、視聴者は、表示された商品情報＿１〜ｎから１つの商品情報を選択する操作を行う。放送受信装置３は、視聴者の選択操作の入力を受け付ける（ステップＳ１１１）。放送受信装置３は、選択された商品情報を示す選択情報を仲介装置４に送信する（ステップＳ１１２）。
【００２８】
仲介装置４の仲介処理部４６は、放送受信装置３から選択情報を取得する。仲介処理部４６は、ステップＳ１０８で選択した販売情報レコードから、選択情報が示す商品情報に対応するＵＲＬ情報の値を取得する（ステップＳ１１３）。例えば、選択情報が商品情報＿１を示す場合、仲介処理部４６はＵＲＬ情報＿１の値を取得する。また、例えば、選択情報が商品情報＿２を示す場合、仲介処理部４６はＵＲＬ情報＿２の値を取得する。同様に、選択情報が商品情報＿ｎを示す場合、仲介処理部４６はＵＲＬ情報＿ｎの値を取得する。仲介処理部４６は、取得したＵＲＬ情報を放送受信装置３に送信する（ステップＳ１１４）。
【００２９】
放送受信装置３は、仲介処理部４６からＵＲＬ情報を取得する。放送受信装置３は、ＵＲＬ情報が示すＥＣサイトにアクセスする（ステップＳ１１５）。視聴者は、アクセス先のＥＣサイトから購入手続きを行う。
【００３０】
仲介装置４の仲介処理部４６は、ＵＲＬ情報を送信した後、仲介情報テーブル４４１に仲介情報を登録する（ステップＳ１１６）。具体的には、仲介処理部４６は、仲介情報テーブル４４１を参照し、商品ＩＤの値に仲介処理を行った商品の識別情報を持つ仲介情報レコードを選択する。仲介処理部４６は、選択した仲介情報レコードから仲介先の販売事業者に対応する仲介数の値を取得する。例えば、仲介処理を行った商品が図５の例の商品１であり、仲介先の販売事業者が販売事業者２である場合、仲介処理部４６は、選択した仲介情報レコードから仲介数＿２の値を取得する。すなわち、“２”が仲介数として取得される。仲介処理部４６は、取得した仲介数に１を加算し、仲介数に今回の仲介を反映させる。仲介処理部４６は、今回の仲介が反映された値で仲介情報レコードを更新する。例えば、上記の例の場合、商品１の仲介情報レコードにおいて、仲介数＿２の値が“３”に更新される。
【００３１】
このように構成された第１の実施形態の放送販売システムでは、広告放送から取得された広告商品の識別情報に基づいて、仲介装置４が各販売事業者の商品情報を放送受信装置３に送信する。そして、仲介装置４は、視聴者によって選択された販売事業者のＵＲＬ情報を放送受信装置３に送信する。仲介装置４が上記の仲介処理を行うことによって、仲介装置４は、広告放送を見て商品を購入した視聴者の数を取得することができる。そのため、仲介装置４の利用者は、広告の放送による商品の宣伝効果を表す情報をより容易に取得することが可能となる。
【００３２】
また、放送受信装置３は、受信された放送データから広告商品を購入することができる販売事業者のＵＲＬ情報を取得する。そのため、視聴者は、広告商品の販売事業者を検索する必要がなく、より簡単に広告商品を購入することが可能となる。
【００３３】
（第２の実施形態）
図９は、第２の実施形態の放送販売システムのシステム構成を示すシステム構成図である。
第２の実施形態の放送販売システムは、販売システム２−１〜２−ｎに代えて販売システム２ａ−１〜２ａ−ｎを備える点、仲介装置４に代えて仲介装置４ａを備える点で第１の実施形態の放送販売システムと異なる。販売システム２ａ−１〜２ａ−ｎは仲介装置４ａとの間で通信し、自システムで販売する商品の販売情報を仲介装置４ａに送信する。仲介装置４ａは、販売システム２ａ−１〜２ａ−ｎから広告商品の商品情報を取得する。仲介装置４ａは、商品情報に基づいて広告情報を生成し放送システム１に送信する。
【００３４】
なお、第１の実施形態の放送販売システムでは、販売情報は、広告主によって仲介装置４に予め登録されたのに対し、第２の実施形態の放送販売システムでは、販売情報は、各販売システム２ａによって仲介装置４に登録される。また、第１の実施形態の放送販売システムでは、広告情報は広告主から放送事業者に提供され、放送事業者によって放送システム１に入力されたのに対し、第２の実施形態の放送販売システムでは、広告情報は仲介装置４ａに登録された販売情報に基づき仲介装置４ａによって生成され、放送システム１に入力される。
【００３５】
図１０は、仲介装置４ａの機能構成を示す機能ブロック図である。
仲介装置４ａは、販売情報登録部４７及び販売事業者情報記憶部４８をさらに備える点で仲介装置４と異なる。
販売情報登録部４７は、各販売システム２ａによる販売情報の登録を受け付ける。販売情報の登録時には、各販売事業者の販売事業者認証情報及び販売情報が仲介装置４ａに送信される。販売事業者認証情報には、販売事業者の識別情報及び仲介装置４ａに販売情報を登録するための資格情報が含まれる。販売情報登録部４７は、各販売システム２ａから送信される販売事業者認証情報に基づいて販売事業者を認証し、認証された販売事業者の販売情報を販売情報テーブル４２１に登録する。販売情報登録部４７は、取得した販売情報に基づいて広告情報を生成する。販売情報登録部４７は、生成した広告情報を放送システム１に送信する。
【００３６】
販売事業者情報記憶部４８は、販売事業者情報を保持する販売事業者情報テーブル４８１を記憶する。販売事業者情報とは、各販売システム２ａを運営する販売事業者の情報である。
図１１は、販売事業者情報テーブル４８１の具体例を示す図である。
販売事業者情報テーブル４８１は、販売事業者ＩＤごとに販売事業者情報レコードを有する。販売事業者情報レコードは、販売事業者ＩＤ及び販売事業者資格情報の各値を有する。販売事業者ＩＤは、販売事業者の識別情報である。図１１では、“販売事業者１”〜“販売事業者ｌ”のｌ（ｌは１以上の整数）個の販売事業者ＩＤが示されている。販売事業者資格情報は、仲介装置４ａに登録する販売事業者の認証に必要となる情報である。例えば、販売事業者資格情報は、販売事業者ごとに設定されたパスワードである。販売事業者情報レコードは、仲介装置４ａの管理者によって予め販売事業者情報テーブル４８１に登録される。
【００３７】
図１２及び図１３は、第２の実施形態の放送販売システムにおける仲介処理の流れを示すシーケンス図である。
まず、販売システム２ａが、販売情報の登録のために仲介装置４ａに販売情報を送信する（ステップＳ２０１）。このとき、各販売システム２ａは、販売事業者資格情報とともに販売情報を送信する。仲介装置４ａの販売情報登録部４７は、販売事業者認証情報及び販売情報を販売システム２ａから取得する。販売情報登録部４７は、販売事業者情報テーブル４８１を参照し、販売事業者ＩＤの値に販売事業者認証情報が示す販売事業者の識別情報を持つ販売事業者情報レコードを選択する。販売情報登録部４７は、販売事業者認証情報が示す資格情報と、取得した販売事業者資格情報とが同一である場合、当該販売事業者を正当な販売事業者として認証する（ステップＳ２０２）。販売事業者を認証すると、販売情報登録部４７は、販売情報を販売情報テーブル４２１に登録する（ステップＳ２０３）。
【００３８】
販売情報登録部４７は、登録した販売情報に基づいて広告情報を生成する（ステップＳ２０４）。販売情報登録部４７は、生成した広告情報を放送システム１に送信する（ステップＳ２０５）。放送システム１の入力部１１は、仲介装置４ａから広告情報を取得し、放送制御部１２に出力する。放送制御部１２は、入力部１１から広告情報を取得する。放送制御部１２は、広告情報に基づいて広告放送を放送するスケジュールを作成する（ステップＳ２０６）。放送制御部１２は、作成した放送スケジュールを放送情報記憶部１３に保存する。放送データ送出部１４は、放送情報記憶部１３から放送情報を取得する。放送データ送出部１４は、放送情報に含まれる映像データ及び関連情報から放送用のデータとなる放送データを生成する。放送データ送出部１４は、放送データを放送用の電波に変換する。放送データ送出部１４は、放送データが変換された電波を放送情報に含まれる放送スケジュールに従って送出し、広告を放送する（ステップＳ２０７）。以降の処理の流れは、図７及び図８と同様である。
【００３９】
このように構成された第２の実施形態の放送販売システムでは、仲介装置４ａは、販売システム２ａの販売情報の登録を受け付ける。仲介装置４ａは、販売システム２ａによって登録された販売情報に基づいて広告情報を生成する。仲介装置４ａは、生成した広告情報を放送システム１に送信する。仲介装置４ａが、上記機能を持つことにより、仲介装置４ａの管理者は、より容易に仲介装置４ａを運用することが可能となる。
【００４０】
以上説明した少なくともひとつの実施形態によれば、広告放送から取得された広告商品の識別情報に基づいて、視聴者の放送受信装置に商品情報及びＵＲＬ情報を送信する仲介処理部を持つことにより、広告の放送による商品の宣伝効果を表す情報をより容易に取得することができる。
【００４１】
次に、実施形態の放送販売システムの変形例について説明する。
１つの商品について複数の広告放送が放送される場合、仲介装置４は、１つの商品の仲介情報を広告ごとに取得してもよい。この場合、販売情報テーブル４２１の販売情報レコードは、広告ＩＤの値をさらに有する。同様に、仲介情報テーブル４４１の仲介情報レコードも、広告ＩＤの値をさらに有する。広告ＩＤは、広告の識別情報である。放送事業者は、広告商品の識別情報に代えて広告の識別情報を関連情報に含めて放送システム１に入力する。放送受信装置３は、放送データから広告の識別情報を取得する。放送受信装置３は、ステップＳ１０６において、広告商品の識別情報に代えて広告の識別情報を仲介装置４に送信する。仲介装置４は、ステップＳ１０８及びＳ１１６において、広告商品の識別情報に代えて広告の識別情報を用いて処理を行うことによって、広告ごとの仲介情報を取得することができる。このように、仲介情報が取得されることによって、広告主は、広告の宣伝効果を表す情報を広告ごとに取得することが可能となる。なお、この変形例は、仲介装置４ａに対して適用されてもよい。
【００４２】
仲介装置４の仲介処理部４６は、仲介処理において、視聴者属性情報を販売システム２に送信してもよい。視聴者属性情報が送信されることによって、販売システム２は、送信された視聴者属性情報を商品販売におけるサービス向上に用いることができる。例えば、視聴者属性情報に販売システム２を使用するために必要となる各販売システム２ごとの情報（例えば、ユーザＩＤ及びパスワード）が含まれる場合、販売システム２はアクセスした視聴者を自動的に認証するように構成されてもよい。なお、この変形例は、仲介装置４ａに対して適用されてもよい。
【００４３】
仲介装置４は、広告放送から取得される広告商品の識別情報以外の情報に基づいて、仲介情報を取得してもよい。例えば、仲介装置４は、放送システム１から放送スケジュールを取得する。そして、仲介装置４は、広告放送の放送スケジュールを広告商品と対応付けて記憶する。仲介装置４は、放送受信装置３が自装置にアクセスした日時と、放送スケジュールとに基づいて、広告商品を特定する。仲介装置４は、特定した広告商品について、仲介情報テーブル４４１を更新する。また、例えば、広告放送が複数のチャンネルで放送される場合、放送受信装置３は、視聴者が視聴する広告放送が放送されているチャンネルを示すチャンネル情報を仲介装置４に送信してもよい。チャンネル情報が送信されることによって、仲介装置４は、チャンネルごとの仲介情報を取得することができる。なお、この変形例は、仲介装置４ａに対して適用されてもよい。
【００４４】
以上、広告放送の視聴者に対して、商品の販売サイトへのアクセス情報を仲介する放送販売システムについて説明したが、視聴者が視聴する放送は広告放送に限定されない。例えば、視聴者が視聴する放送は、ドラマ番組やバラエティ番組などの放送であってもよい。また、放送販売システムが仲介する情報はアクセス情報に限定されない。例えば、放送販売システムが仲介する情報は、商品そのものの情報であってもよいし、商品の製造者や販売者の情報であってもよい。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…放送システム，１１…入力部，１２…放送制御部，１３…放送情報記憶部，１４…放送データ送出部，２、２−１〜ｎ、２ａ、２ａ−１〜ｎ…販売システム，３…放送受信装置，４、４ａ…仲介装置，４１…通信部，４２…販売情報記憶部，４２１…販売情報テーブル，４３…視聴者情報記憶部，４３１…視聴者情報テーブル，４４…仲介情報記憶部，４４１…仲介情報テーブル，４５…視聴者受付部，４６…仲介処理部，４７…販売情報登録部，４８…販売事業者情報記憶部，４８１…販売事業者情報テーブル
【図１】
2016051348.tif 000003
【図２】
2016051348.tif 000004
【図３】
2016051348.tif 000005
【図４】
2016051348.tif 000006
【図５】
2016051348.tif 000007
【図６】
2016051348.tif 000008
【図７】
2016051348.tif 000009
【図８】
2016051348.tif 000010
【図９】
2016051348.tif 000011
【図１０】
2016051348.tif 000012
【図１１】
2016051348.tif 000013
【図１２】
2016051348.tif 000014
【図１３】
2016051348.tif 000015